(57)【特許請求の範囲】
【請求項１】
処理対象である信号を処理するための複数の入力チャンネルと、
前記入力チャンネルで処理された信号を混合するミキシングバスと、
ミキシングバスから出力された信号を処理するための出力チャンネルと、
前記入力チャンネルと出力チャンネルの少なくとも一方において各チャンネル毎に設けられた信号調整用の第１の操作子であって、該第１の操作子の操作に応じて対応するチャンネルの信号を調整するものと、
任意のチャンネルに対して割り当て可能な、信号調整用の複数の第２の操作子と、
個々の前記第２の操作子に対して、前記入力チャンネルと出力チャンネルの少なくとも一方における任意の１又は複数のチャンネルの前記第１の操作子を割り当て、個々の前記第２の操作子の操作に応じて、当該第２の操作子に対して割り当てられた前記１又は複数のチャンネルの前記第１の操作子における信号調整量をそれぞれ制御する制御手段と、
複数のサブミキシングバスであって、各サブミキシングバスが前記各第２の操作子に対応してそれぞれ設けられており、該各サブミキシングバスは、前記制御手段による割り当てに従って当該サブミキシングバスに対応する第２の操作子の制御対象となった前記１又は複数のチャンネルの信号を混合するものと、
前記サブミキシングバスに対応して設けられた、該サブミキシングバスで混合された信号をモニタするモニタ手段と
を備えたミキサ装置。
【請求項２】
前記第２の操作子で調整される前の信号又は調整された後の信号の一方を選択する選択手段を更に備え、
前記モニタ手段では前記選択手段で選択された信号をモニタすることにより、前記第２の操作子で調整される前の信号又は調整された後の信号のいずれかを選択的にモニタできることを特徴とする請求項１に記載のミキサ装置。
【請求項３】
前記各サブミキシングバスは、ステレオバスで構成され、前記制御手段による割り当てに従って当該サブミキシングバスに対応する第２の操作子の制御対象となった前記１又は複数のチャンネルの信号をステレオバスの左右バスに分配し、各左右バス毎に混合するものである請求項１又は２に記載のミキサ装置。
【請求項４】
前記モニタ手段は、前記各サブミキシングバスで混合された信号の状態をそれぞれ可視表示する複数の表示器を含む請求項１乃至３のいずれかに記載のミキサ装置。
【請求項５】
前記モニタ手段は、前記各サブミキシングバスで混合された信号を聴き取り可能にする手段を含む請求項１乃至４のいずれかに記載のミキサ装置。
【請求項６】
処理対象である前記信号はオーディオ信号であり、前記第１及び第２の操作子はオーディオ信号のレベルを調整するものである請求項１乃至５のいずれかに記載のミキサ装置。
【発明の詳細な説明】
【技術分野】
【０００１】
この発明は、共用のフェーダ（信号調整用操作子）に対して所望の１又は複数のチャンネルのフェーダを割り当て、該共用のフェーダの操作に応じて該割り当てた１又は複数のチャンネルのフェーダにおける信号調整量を制御することのできる機能を備えたミキサ装置に関し、特に、共用のフェーダの操作に応じて制御される１又は複数のチャンネルのフェーダにおける信号調整状態を適切にモニタし得るようにしたミキサ装置に関する。
【背景技術】
【０００２】
コンサート等で用いられるミキサ装置においては、複数の入力チャンネルのオーディオ信号がミキシングされることによって最終的に必要なオーディオ信号が得られる。これら入力チャンネルの各オーディオ信号のゲインは、ミキシングされる前に、複数段階にわたって調節される。例えば、ミキサ装置に入力された直後の音声信号は、ヘッダアンプによってゲイン調節が行われる。このゲイン調節のためには、ボリューム操作子が多用されている。次に、必要に応じて周波数特性のイコライジングが行われた後、フェーダアンプによるゲイン調節が行われる。このフェーダアンプのゲインは各入力チャンネル毎に設けられたフェーダによって設定される。また、ミキシングバスから出力された信号を処理するための出力チャンネルにおいてもフェーダが設けられており、出力信号のゲインを調整する。
【０００３】
大型のミキシングコンソールにおいては、パネル上に並ぶフェーダの数も膨大になり、必然的にコンソールの端から端までの距離も長くなるため、できるだけコンソールの中央に配置されている操作子のみで全チャンネルの音量操作などを行いたいという要求があった。これを解決するために設けられたのがＤＣＡ（Digital Controlled Amplifier 又はDigital Controlled Attenuator）フェーダである。ＤＣＡフェーダは、いずれかの入力（又は出力）チャンネルのフェーダを一時的に割り当てて該ＤＣＡフェーダの操作によって該いずれかの入力（又は出力）チャンネルのフェーダを通るオーディオ信号の音量を制御したり、グループ化した複数の入力（又は出力）チャンネルの音量を該ＤＣＡフェーダの操作によって一括して操作する、などの用途に用いられるフェーダである。例えば、複数のＤＣＡフェーダをミキシングコンソールの中央付近に配置し、各ＤＣＡフェーダに対して該ＤＣＡフェーダによって一時的に操作したい任意の入力（又は出力）チャンネルを割り当てることで、あるいは、１つのＤＣＡフェーダに対してグループ化した複数の入力（又は出力）チャンネルを任意に割り当てることで、上記の問題を解決している。特開２００４−４０３４７号公報（特許文献１）においては、そのようなＤＣＡフェーダを備えたデジタルミキサの一例が示されている。
【特許文献１】特開２００４−４０３４７号公報
【０００４】
このように、ＤＣＡフェーダに対していずれか１又は複数のチャンネルのフェーダが割り当てられるようになっており、その割り当てられたチャンネルを流れるオーディオ信号のレベルをＤＣＡフェーダの操作によって制御するようになっているため、ＤＣＡフェーダそのものにはオーディオ信号が流れる構成とはなっていない。そのため、従来は、ＤＣＡフェーダで制御されたオーディオ信号の調整状態をモニタするという概念が存在していなかった。しかし、ＤＣＡフェーダが種々のミキサ装置に組み込まれて利用されることが多くなることに伴い、特定のＤＣＡフェーダに割り当てられたいずれか１又は複数のチャンネルでのオーディオ信号の調整状態を視覚的に又は聴感的にモニタしたいという要求がユーザに高まってきた。
【０００５】
このような要求に対して、従来のミキサ装置にあっては、モニタ用のＣＵＥバスを使用することでしか対応できなかった。すなわち、モニタしたい特定のＤＣＡフェーダに割り当てられたいずれか１又は複数のチャンネルでＣＵＥバスを選択することで、これらの１又は複数のチャンネルのオーディオ信号がＣＵＥバスに与えられ、これにより、該ＣＵＥバスを介して当該特定のＤＣＡフェーダに割り当てられたいずれか１又は複数のチャンネルでのオーディオ信号の調整状態を視覚的に（信号レベルのメータ表示）又は聴感的に（ヘッドフォン聴取）モニタできる。しかし、ＣＵＥバスは１つしか設けられていないため、複数のＤＣＡフェーダにおける信号レベル調整状態を同時にモニタすることができず、不便であった。
【発明の開示】
【発明が解決しようとする課題】
【０００６】
本発明は、上述の点に鑑みてなされたもので、任意のチャンネルに割り当て可能な共用の操作子（ＤＣＡフェーダ）を複数具備するミキサ装置において、複数の共用の操作子（ＤＣＡフェーダ）による信号調整状態をそれぞれ同時にモニタすることができるようにすることを目的とする。
【課題を解決するための手段】
【０００７】
本発明に係るミキサ装置は、処理対象である信号を処理するための複数の入力チャンネルと、前記入力チャンネルで処理された信号を混合するミキシングバスと、ミキシングバスから出力された信号を処理するための出力チャンネルと、前記入力チャンネルと出力チャンネルの少なくとも一方において各チャンネル毎に設けられた信号調整用の第１の操作子であって、該第１の操作子の操作に応じて対応するチャンネルの信号を調整するものと、任意のチャンネルに対して割り当て可能な、信号調整用の複数の第２の操作子と、個々の前記第２の操作子に対して、前記入力チャンネルと出力チャンネルの少なくとも一方における任意の１又は複数のチャンネルの前記第１の操作子を割り当て、個々の前記第２の操作子の操作に応じて、当該第２の操作子に対して割り当てられた前記１又は複数のチャンネルの前記第１の操作子における信号調整量をそれぞれ制御する制御手段と、複数のサブミキシングバスであって、各サブミキシングバスが前記各第２の操作子に対応してそれぞれ設けられており、該各サブミキシングバスは、前記制御手段による割り当てに従って当該サブミキシングバスに対応する第２の操作子の制御対象となった前記１又は複数のチャンネルの信号を混合するものと、前記サブミキシングバスに対応して設けられた、該サブミキシングバスで混合された信号をモニタするモニタ手段と備える。
【０００８】
本発明によれば、複数の第２の操作子（実施例における「ＤＣＡフェーダ」）の各々に対応して個別にサブミキシングバス（実施例における「ＤＣＡバス」）がそれぞれ設けられ、各サブミキシングバスでは、前記制御手段による割り当てに従って当該サブミキシングバスに対応する第２の操作子の制御対象となった前記１又は複数のチャンネルの信号を混合し、該サブミキシングバスに対応して設けられたモニタ手段により該サブミキシングバスで混合された信号をモニタすることができるので、複数の第２の操作子（ＤＣＡフェーダ）における信号調整状態を同時にモニタすることができる。
【発明を実施するための最良の形態】
【０００９】
以下、添付図面を参照して本発明の一実施例を詳細に説明しよう。
図１は、本発明の一実施例に係るデジタルミキサ１０のハードウェア構成を示すブロック図である。デジタルミキサ１０は、ＣＰＵ１１，ＲＡＭ１２，ＲＯＭ１３，操作子１４の操作を検出するための検出回路１５，表示器１６の表示を制御するための表示回路１７，外部機器２２との間で各種データの授受を行うための通信インタフェース（Ｉ／Ｆ）１８，マイクロフォン及びスピーカなどの外部機器２３との間でオーディオ信号を入出力するためのオーディオ信号インタフェース（Ｉ／Ｆ）１９，デジタル信号処理部（ＤＳＰ）２０を備え、これらがシステムバス２１を介して接続されている。
【００１０】
ＣＰＵ１１は、このデジタルミキサ１０の動作を統括制御する制御手段であり、ＲＡＭ１２又はＲＯＭ１３に記憶された所要のプログラムを実行することにより、通信Ｉ／Ｆ１８及びオーディオ信号Ｉ／Ｆ１９における通信や表示器１６における表示を制御したり、操作子１４の操作を検出してその操作に従ってパラメータの値の設定／変更や各部の動作を制御したりといった処理を行う。
【００１１】
操作子１４と表示器１６は、デジタルミキサ１０のコンソール部に配列されている。操作子１４は、操作者によるデジタルミキサ１０に対する操作を受け付けるためのものであり、複数のチャンネルに対応して設けられた種々のキースイッチ、ボタンスイッチ、ダイヤル式操作子、フェーダ式操作子等によって構成される。表示器１６は、ＣＰＵ１１による制御に従って種々の情報を表示する表示手段であり、例えば液晶パネル（ＬＣＤ）や発光ダイオード（ＬＥＤ）によって構成することができる。
【００１２】
通信Ｉ／Ｆ１８は、種々の外部機器２２を接続し入出力を行うためのインタフェースであり、例えば外部のディスプレイ、マウス、文字入力用のキーボード、操作パネル等を接続するためのインタフェースなどからなる。オーディオ信号Ｉ／Ｆ１９は、ＤＳＰ２０で処理すべきオーディオ信号の入力をマイクロフォン等の外部機器２３から入力し、また、ミキシング処理後のオーディオ信号をスピーカあるいはヘッドフォン等の外部機器２３に出力するためのインタフェースであり、オーディオ信号のアナログ／デジタル変換器及びデジタル／アナログ変換器を含む。
【００１３】
ＤＳＰ２０は、デジタルミキサ１０における主要なミキシング処理を行うようマイクロプログラムが組まれており、このマイクロプログラムに従ってミキシング処理を実行する。ＤＳＰ２０が実行するミキシング処理とは、例えば、オーディオ信号Ｉ／Ｆ１９を介して入力した複数チャンネルのデジタルオーディオ信号に対して、ミキシングに関連する各種の演算処理（例えばフェーダ設定値に応じたレベル係数演算やミキシングチャンネルへの分配と加算等及びイコライジング処理等の各種信号処理）を行うことからなる。
【００１４】
操作子１４において設けられている本発明に関連する信号レベル調整用のフェーダ式操作子の一例を示すと、図２のようであり、ｎ個のチャンネルの各々に対応して設けられたチャンネルフェーダ（第１の操作子）ＣｈＦ１〜ＣｈＦｎと、ｍ個の共用のＤＣＡフェーダ（第２の操作子）ＤＣＡＦ１〜ＤＣＡＦｍを有する。１つのＤＣＡフェーダＤＣＡＦ１〜ＤＣＡＦｍに対して、任意の１又は複数チャンネルを割り当て、該ＤＣＡフェーダの操作によってそれに割り当てられた１又は複数チャンネルのチャンネルフェーダ（第１の操作子）ＣｈＦ１〜ＣｈＦｎにおける信号レベル調整量を制御することができる。ＤＣＡフェーダ（第２の操作子）ＤＣＡＦ１〜ＤＣＡＦｍに対して任意の１又は複数のチャンネルを割り当てる処理は、公知であり、例えば、操作子１４における所定のスイッチ等を用いた操作者による割り当て指示操作と、該割り当て指示操作に応じたＣＰＵ１１の処理とによって実行される。また、この割り当てに従って、個々のＤＣＡフェーダ（第２の操作子）ＤＣＡＦ１〜ＤＣＡＦｍの操作に応じて当該ＤＣＡフェーダに対して割り当てられた１又は複数のチャンネルのチャンネルフェーダ（第１の操作子）ＣｈＦ１〜ＣｈＦｎにおける信号レベル調整量をそれぞれ制御する処理は、ＣＰＵ１１によって実行される。このように制御されたチャンネルフェーダ（第１の操作子）ＣｈＦ１〜ＣｈＦｎの信号レベル調整量に従って当該チャンネルのオーディオ信号のレベルを設定・制御することはＤＳＰ２０において実行される。なお、チャンネルフェーダ（第１の操作子）ＣｈＦ１〜ＣｈＦｎは、手動及び電動のいずれでも動作可能であり、ＤＣＡフェーダ（第２の操作子）の操作に連動してチャンネルフェーダ（第１の操作子）を動かす場合は、ＣＰＵ１１からの指示に従って、電動式で動かされる。
【００１５】
一例として、ＤＣＡフェーダ（第２の操作子）の操作に応じたチャンネルフェーダ（第１の操作子）の動作モードには、次に述べる第１及び第２モードがある。この２つのモードは、各ＤＣＡフェーダＤＣＡＦ１〜ＤＣＡＦｍ毎に独立に設定可能である。
【００１６】
第１モードでは、ＤＣＡフェーダ（第２の操作子）の操作に応じて、該ＤＣＡフェーダが割り当てられたチャンネルのチャンネルフェーダ（第１の操作子）の摘みが、該ＤＣＡフェーダの摘みと同じ位置に実際に電動式で動かされる。例えは、１つのＤＣＡフェーダ（第２の操作子）に対して１つのチャンネルのチャンネルフェーダ（第１の操作子）が１対１で割り当てられた場合に、この第１モードでチャンネルフェーダ（第１の操作子）の摘みがＤＣＡフェーダの摘みと同じ位置になるように実際に連動して動かされる。
【００１７】
第２モードでは、ＤＣＡフェーダ（第２の操作子）の操作に応じて、該ＤＣＡフェーダが割り当てられたチャンネルのチャンネルフェーダ（第１の操作子）の摘みは実際には動かされず、このチャンネルフェーダ（第１の操作子）における信号レベル調整量がＤＣＡフェーダ（第２の操作子）の操作量に応じて増減するよう制御される。例えは、１つのＤＣＡフェーダ（第２の操作子）に対して２以上のチャンネルのチャンネルフェーダ（第１の操作子）が割り当てられた場合に、この第２モードで各チャンネルフェーダにおける信号レベル調整量がＤＣＡフェーダの操作量に応じてそれぞれ増減するよう制御される。これにより、１つのＤＣＡフェーダに対して割り当てられた２以上のチャンネルのチャンネルフェーダの各信号レベル調整量は、各チャンネルフェーダ間の相対関係を維持したまま、ＤＣＡフェーダの操作量に応じてそれぞれ増減するよう制御される。
【００１８】
図３は、ＤＳＰ２０によって実現されるミキシング処理部の構成を機能的に示す略図である。このミキシング処理部は、複数ｎの入力チャンネルＣＨ１〜ＣＨｎと、複数ＮのミキシングバスＭＩＸ−１，２，．．．Ｎと、左右１対のステレオバスＳＴと、左右１対のＣｕｅバスＣＵＥと、各バスＭＩＸ−１，２，．．．Ｎ，ＳＴ，ＣＵＥで混合されたオーディオ信号を出力する際に音量制御等を行うための出力チャンネル部ＯＵＴとを備えている。更に、本発明に従い、複数ｍのＤＣＡバス（サブミキシングバス）ＤＣＡ−１，２，．．．ｍが設けられている。各ＤＣＡバス（サブミキシングバス）ＤＣＡ−１，２，．．．ｍは、各ＤＣＡフェーダ（第２の操作子）ＤＣＡＦ１〜ＤＣＡＦｍに対応して設けられている。なお、公知のように、ミキサにおける「バス」若しくは「ミキシングバス」とは、同じバスに送られたオーディオ信号同士を混合（加算）し、１つの混合されたオーディオ信号を出力する機能を持つものである。
【００１９】
図３においては、図示の便宜上、１つの入力チャンネルＣＨ１のみ詳細を示しているが、他の入力チャンネルＣＨ２〜ＣＨｎも同様に構成される。入力チャンネルＣＨ１について説明すると、入力されたデジタルオーディオ信号は、当該入力チャンネルＣＨ１のフェーダ（第１の操作子）ＣｈＦ１に対応するフェーダアンプ（又は減衰器）ＦＤＡｃｈに入力される。フェーダアンプ（又は減衰器）ＦＤＡｃｈは、フェーダ（第１の操作子）ＣｈＦ１の操作量に応じてゲインが可変設定されるアンプ（又は減衰器）である。フェーダアンプＦＤＡｃｈと対で直列的に設けられているＤＣＡアンプ（又は減衰器）ＤＣＡｃｈは、当該チャンネルＣＨ１に割り当てられたいずれかのＤＣＡフェーダ（第２の操作子）ＤＣＡＦ１〜ＤＣＡＦｍの操作に応じてゲインが可変設定されるアンプ（又は減衰器）である。
【００２０】
ＤＣＡアンプ（又は減衰器）ＤＣＡｃｈのゲイン設定値は、当該チャンネルに割り当てられた上述の２つのモードのいずれでＤＣＡフェーダが動作しているかによって異なる。まず、上記第１モードでは、ＤＣＡアンプ（又は減衰器）ＤＣＡｃｈは増幅率１（又は減衰量０）つまり入力信号のレベルを変化させることなくそのまま出力する。この第１モードの場合は、ＤＣＡフェーダの操作に連動してチャンネルフェーダＣｈＦ１の摘みが動くので、フェーダアンプ（又は減衰器）ＦＤＡｃｈにおいて設定されているゲインはＤＣＡフェーダの操作位置に対応するものとなるので、ＤＣＡアンプ（又は減衰器）ＤＣＡｃｈを機能させる必要がないからである。なお、当該チャンネルにＤＣＡフェーダが割り当てられていないときも同様にＤＣＡアンプ（又は減衰器）ＤＣＡｃｈは増幅率１（又は減衰量０）である。
【００２１】
次に、上記第２モードでは、当該チャンネルに割り当てられたＤＣＡフェーダの操作に応じてＤＣＡアンプ（又は減衰器）ＤＣＡｃｈのゲイン設定値が増加又は減少される。第２モードでは、チャンネルフェーダＣｈＦ１の摘みはＤＣＡフェーダの操作に連動して動かず、それに対応するフェーダアンプＦＤＡｃｈのゲイン設定値は変化されないので、ＤＣＡフェーダの操作に応じてＤＣＡアンプ（又は減衰器）ＤＣＡｃｈのゲイン設定値を増加又は減少することにより、等価的に当該チャンネルフェーダＣｈＦ１における信号レベル調整量をＤＣＡフェーダの操作に応じて増減制御する。つまり、フェーダアンプ（又は減衰器）ＦＤＡｃｈとＤＣＡアンプ（又は減衰器）ＤＣＡｃｈとの両方のゲインを合わせたものが、実質的なＤＣＡフェーダの操作に応じて制御された当該チャンネルフェーダＣｈＦ１における信号レベル調整量となる。
【００２２】
ミキシングバスセレクタＭＩＸＳＥＬは、この入力チャンネルＣＨ１のオーディオ信号を送るべきミキシングバスＭＩＸ−１，２，．．．Ｎを選択するもので、各ミキシングバス毎にプリフェーダ信号ＰＲＥ＿Ｆとポストフェーダ信号ＰＯＳＴ＿Ｆのどちらを送るかを選択できるようになっている。プリフェーダ信号ＰＲＥ＿Ｆとは、チャンネルフェーダＣｈＦ１に入力する前のオーディオ信号であり、ポストフェーダ信号ＰＯＳＴ＿ＦでチャンネルフェーダＣｈＦ１でレベル調整（ゲイン調整）処理を行った後のオーディオ信号である。すなわち、ミキシングバスＭＩＸ−１，２，．．．Ｎを使用して、フェーダ処理を行った後の信号ＰＯＳＴ＿Ｆのミキシングを行うことができるのみならず、フェーダ処理を行う前の信号ＰＲＥ＿Ｆのミキシングを行うこともできる。
【００２３】
各ミキシングバスＭＩＸ−１，２，．．．Ｎでは、各入力チャンネルＣＨ１〜ＣＨｎから送られてきたオーディオ信号を混合する。出力チャンネル部ＯＵＴには、各ミキシングバスＭＩＸ−１，２，．．．Ｎに対応する出力チャンネルが設けられており、各ミキシングバスＭＩＸ−１，２，．．．Ｎに対応する出力チャンネルにはそれぞれミキシング出力フェーダＭＩＸ−Ｆが設けられている。操作者が所望のミキシング出力フェーダＭＩＸ−Ｆを操作することで、所望のミキシングバスＭＩＸ−１，２，．．．Ｎの出力ゲインを調整することができる。ミキシング出力フェーダＭＩＸ−Ｆの出力側にはメーターＭＴＲ１が設けられており、各ミキシングバスＭＩＸ−１，２，．．．Ｎ毎のミキシング出力フェーダＭＩＸ−Ｆの出力信号レベルをそれぞれメーター表示（可視的にモニター）できるようになっている。このメーター表示は、メーター針の振れあるいは棒グラフ表示などによってアナログ的に可視表示するようになっていてもよいし、信号レベルを数値によってデジタル的に可視表示するようになっていてもよい。他のメーターＭＴＲ２〜ＭＴＲ４，ＭＴＲｄ１〜ＭＴＲｄｍも同様である。
【００２４】
入力チャンネルＣＨ１に設けられたメーターＭＴＲ２には、操作者の操作に応じてセレクタＳＥＬ１で選択された当該入力チャンネルＣＨ１におけるプリフェーダ信号ＰＲＥ＿Ｆ又はポストフェーダ信号ＰＯＳＴ＿Ｆのいずれかが入力されるようになっており、プリフェーダ信号ＰＲＥ＿Ｆ又はポストフェーダ信号ＰＯＳＴ＿Ｆの信号レベルをメーター表示（可視的にモニター）できるようになっている。
【００２５】
入力チャンネルＣＨ１において、ポストフェーダ信号ＰＯＳＴ＿Ｆは、ステレオパンにおける音像定位を設定するためのバランスボリュームＰＡＮ＿Ｖにも入力される。ステレオバスセレクタＳＴＳＥＬは、プリフェーダ信号ＰＲＥ＿ＦとバランスボリュームＰＡＮ＿Ｖの出力信号（ステレオパン制御されたオーディオ信号）のいずれかを、操作者の操作に応じて選択してステレオバスＳＴに送るためのものである。プリフェーダ信号ＰＲＥ＿ＦをステレオバスＳＴに送ることが選択されたときは、同じプリフェーダ信号ＰＲＥ＿ＦがステレオバスＳＴの左右バスに送られるので、当該入力チャンネルＣＨ１のオーディオ信号は音像定位に固定される（モノラルである）。
【００２６】
ステレオバスＳＴでは、各入力チャンネルＣＨ１〜ＣＨｎから送られてきたオーディオ信号を左右バスにおいてそれぞれ混合する。出力チャンネル部ＯＵＴには、ステレオバスＳＴの左右バスに対応する出力チャンネルが設けられており、このステレオ左右バスの出力チャンネルにはステレオ出力フェーダＳＴ−Ｆが設けられており、操作者が該ステレオ出力フェーダＳＴ−Ｆを操作することで、ステレオ左右バスの出力オーディオ信号の出力ゲインを共通に調整することができる。また、セレクタＳＥＬ２でステレオ出力フェーダＳＴ−Ｆの入力側の左右ステレオ信号と出力側の左右ステレオ信号のどちらかを選択し、メーターＭＴＲ３に入力することができるようになっている。メーターＭＴＲ３では選択入力された左右ステレオ信号のそれぞれの信号レベルをそれぞれメーター表示（可視的にモニター）する。セレクタＳＥＬ２での選択切り換えにより、入力と出力とを比較することで、ステレオ出力フェーダＳＴ−Ｆのかかり具合を確かめることができる。
【００２７】
キューセレクタＣＵＥＳＥＬは、当該入力チャンネルＣＨ１のバランスボリュームＰＡＮ＿Ｖの出力信号（ステレオパン制御されたオーディオ信号）をＣｕｅバスＣＵＥに送ることを選択するためのものであり、操作者によって操作される。
【００２８】
ＣｕｅバスＣＵＥでは、各入力チャンネルＣＨ１〜ＣＨｎから送られてきたステレオパン制御されたオーディオ信号を左右バスにおいてそれぞれ混合する。出力チャンネル部ＯＵＴには、ＣｕｅバスＣＵＥの左右バスに対応する出力チャンネルが設けられており、このステレオ左右バスの出力チャンネルにはＣｕｅ出力フェーダＣＵＥ−Ｆが設けられており、操作者が該Ｃｕｅ出力フェーダＣＵＥ−Ｆを操作することで、Ｃｕｅバスにおけるステレオ左右バスの出力オーディオ信号の出力ゲインを共通に調整することができる。また、Ｃｕｅ出力フェーダＣＵＥ−Ｆに入力される前のＣｕｅバス出力の左右ステレオ信号がメーターＭＴＲ４に入力され、メーターＭＴＲ４では入力されたＣｕｅバス出力の左右ステレオ信号のそれぞれの信号レベルをそれぞれメーター表示（可視的にモニター）する。
【００２９】
出力チャンネル部ＯＵＴから出力された各ミキシングバスの出力オーディオ信号、ステレオバスの出力オーディオ信号、Ｃｕｅバスの出力オーディオ信号は、ＤＳＰ２０からオーディオ信号Ｉ／Ｆ１９に送られ、そして、外部機器２３として接続されている所定のスピーカシステム及びヘッドフォン等に供給される。
【００３０】
各メーターＭＴＲ１〜ＭＴＲ４は、デジタルミキサ１０のコンソール部における各チャンネル毎のチャンネルストリップに配列される。更に、デジタルミキサ１０のコンソール部には、本発明に従ってモニタした各ＤＣＡフェーダＤＣＡＦ１〜ＤＣＡＦｍ毎の信号調整状態を表示するためのメーターＭＴＲｄ１〜ＭＴＲｄｍが設けられる。これらのメーターＭＴＲｄ１〜ＭＴＲｄｍは、例えば、図２に示すように、コンソール部における各ＤＣＡフェーダＤＣＡＦ１〜ＤＣＡＦｍの配置に対応付けて配置されると視認し易い。
【００３１】
入力チャンネルＣＨ１において、各ＤＣＡバス（サブミキシングバス）ＤＣＡ−１，２，．．．ｍに対応して、ＤＣＡ割り当てスイッチＡＳＳＷ１〜ＡＳＳＷｍがそれぞれ設けられている。ＤＣＡ割り当てスイッチＡＳＳＷ１〜ＡＳＳＷｍは、各ＤＣＡフェーダＤＣＡＦ１〜ＤＣＡＦｍに１対１で対応しており、いずれかの１つのＤＣＡフェーダＤＣＡＦ１〜ＤＣＡＦｍに対する当該チャンネルＣＨ１の割り当てに対応してオンとされるスイッチである。なお、１つのＤＣＡフェーダに複数チャンネルを割り当てることはできるが、１つのチャンネルＣＨ１を複数のＤＣＡフェーダに割り当てることは事実上できない。よって、当該チャンネルＣＨ１におけるＤＣＡ割り当てスイッチＡＳＳＷ１〜ＡＳＳＷｍの状態は、すべてオフであるか、いずれか１つのみがオンである。
【００３２】
ＤＣＡ割り当てスイッチＡＳＳＷ１〜ＡＳＳＷｍには、フェーダアンプＦＤＡｃｈの出力信号がラインＤＣＡ＿Ｌを介して入力される。各ＤＣＡ割り当てスイッチＡＳＳＷ１〜ＡＳＳＷｍの出力信号はそれぞれに対応するＤＣＡバスＤＣＡ−１，２，．．．ｍに送られる。
【００３３】
各ＤＣＡバスＤＣＡ−１，２，．．．ｍでは、各入力チャンネルＣＨ１〜ＣＨｎからそれぞれのＤＣＡ割り当てスイッチＡＳＳＷ１〜ＡＳＳＷｍを介して送られてきたオーディオ信号を混合する。各ＤＣＡバスＤＣＡ−１，２，．．．ｍの出力側には、ＤＣＡアンプ（又は減衰器）ＤＣＡ１〜ＤＣＡｍがそれぞれ設けられている。各ＤＣＡアンプ（又は減衰器）ＤＣＡ１〜ＤＣＡｍは、それぞれＤＣＡフェーダＤＣＡＦ１〜ＤＣＡＦｍに対応しており、対応するＤＣＡフェーダによる信号レベル調整量の制御状態をシミュレートするものである。要するに、各ＤＣＡアンプ（又は減衰器）ＤＣＡ１〜ＤＣＡｍは入力チャンネルＣＨ１に設けられる前述のＤＣＡアンプ（又は減衰器）ＤＣＡｃｈと同様の機能を果たすもので、対応するＤＣＡフェーダが上記第１モードで動作するときは、それに対応するＤＣＡアンプ（又は減衰器）ＤＣＡ１〜ＤＣＡｍは増幅率１（又は減衰量０）つまり入力信号のレベルを変化させることなくそのまま出力する。この場合は、入力チャンネル側のフェーダアンプＦＤＡｃｈで当該ＤＣＡフェーダの操作に連動した信号レベル調整がなされている。従って、ラインＤＣＡ＿Ｌ及びスイッチＡＳＳＷ１〜ＡＳＳＷｍを介してＤＣＡバスＤＣＡ−１，２，．．．ｍに入力されるフェーダアンプＦＤＡｃｈの出力信号は、ＤＣＡフェーダの操作に応じてレベル調整されたものとなっている。よって、ＤＣＡバスＤＣＡ−１，２，．．．ｍの出力信号をレベルを変化させることなく、ＤＣＡアンプ（又は減衰器）ＤＣＡ１〜ＤＣＡｍからそのまま出力させることで、ＤＣＡフェーダの操作に応じてレベル調整されたオーディオ信号がＤＣＡアンプ（又は減衰器）ＤＣＡ１〜ＤＣＡｍから出力されることになる。
【００３４】
一方、対応するＤＣＡフェーダが上記第２モードで動作するときは、該対応するＤＣＡフェーダの操作に応じてそれに対応するＤＣＡアンプＤＣＡ１〜ＤＣＡｍのゲイン設定値が増加又は減少される。この場合は、入力チャンネル側のフェーダアンプＦＤＡｃｈで当該ＤＣＡフェーダの操作に連動した信号レベル調整はなされず、それ以前の信号レベル調整状態を保持している。そして、オーディオ信号に対するＤＣＡフェーダの操作に応じたレベル調整は各チャンネルのＤＣＡアンプＤＣＡｃｈでなされることは前述した通りである。そこで、同じようなレベル調整をシミュレートすべく、各ＤＣＡバスＤＣＡ−１，２，．．．ｍに対応してＤＣＡアンプＤＣＡ１〜ＤＣＡｍが設けられている。すなわち、ラインＤＣＡ＿Ｌ及びスイッチＡＳＳＷ１〜ＡＳＳＷｍを介してＤＣＡバスＤＣＡ−１，２，．．．ｍに入力されるフェーダアンプＦＤＡｃｈの出力信号は、ＤＣＡフェーダの操作に応じてレベル調整されたものとなっていないので、ＤＣＡバスＤＣＡ−１，２，．．．ｍの出力信号レベルをＤＣＡアンプ（又は減衰器）ＤＣＡ１〜ＤＣＡｍでＤＣＡフェーダの操作に応じて制御することで、ＤＣＡフェーダの操作に応じてレベル調整されたオーディオ信号がＤＣＡアンプ（又は減衰器）ＤＣＡ１〜ＤＣＡｍから出力されることになる。
【００３５】
こうして、いずれのモードで動作する場合でも、対応するＤＣＡフェーダＤＣＡＦ１〜ＤＣＡＦｍの操作に応じてレベル調整されたオーディオ信号がＤＣＡアンプ（又は減衰器）ＤＣＡ１〜ＤＣＡｍから出力されることになる。
【００３６】
各ＤＣＡバスＤＣＡ−１，２，．．．ｍに対応してそれぞれ設けられたセレクタＳＥＬ３は、ＤＣＡアンプ（又は減衰器）ＤＣＡ１〜ＤＣＡｍの出力信号とＤＣＡバスＤＣＡ−１，２，．．．ｍの出力信号（ＤＣＡ１〜ＤＣＡｍを経由していない出力信号）の一方を、操作者の操作に応じて各ＤＣＡバス毎に独立に選択するためのものである。ＤＣＡバスＤＣＡ−１，２，．．．ｍに対応する各セレクタＳＥＬ３の出力は、メーターＭＴＲｄ１〜ＭＴＲｄｍにそれぞれ入力される。これにより、各ＤＣＡバス（サブミキシングバス）ＤＣＡ−１，２，．．．ｍで混合されたオーディオ信号のレベルをそれぞれメーター表示（可視的にモニター）できる。また、各セレクタＳＥＬ３の出力信号は、ＣｕｅバスＣＵＥの左右バスにモノラル信号として入力されるようになっており、これにより、ＣｕｅバスＣＵＥの出力を介してヘッドフォン等により各ＤＣＡバス（サブミキシングバス）ＤＣＡ−１，２，．．．ｍから出力されるオーディオ信号を聴感的にモニターすることもできる。
【００３７】
セレクタＳＥＬ３でＤＣＡアンプ（又は減衰器）ＤＣＡ１〜ＤＣＡｍからの出力信号を選択した場合は、ＤＣＡアンプ（又は減衰器）ＤＣＡ１〜ＤＣＡｍは、対応するＤＣＡフェーダＤＣＡＦ１〜ＤＣＡＦｍの操作に応じてレベル調整されたオーディオ信号を出力しているので、対応するＤＣＡフェーダＤＣＡＦ１〜ＤＣＡＦｍの操作に応じた信号を可視的に及び可聴的にモニターできることになる。
【００３８】
一方、セレクタＳＥＬ３でＤＣＡバスＤＣＡ−１，２，．．．ｍの出力信号（ＤＣＡ１〜ＤＣＡｍを経由していない出力信号）を選択した場合は、上記第１モードと第２モードとで異なる態様のモニタが行える。第１モードの場合は、前述のように、ＤＣＡバスＤＣＡ−１，２，．．．ｍの出力信号（ＤＣＡ１〜ＤＣＡｍを経由していない出力信号）は、対応するＤＣＡフェーダＤＣＡＦ１〜ＤＣＡＦｍの操作に応じてレベル調整されたオーディオ信号を出力しているので、対応するＤＣＡフェーダＤＣＡＦ１〜ＤＣＡＦｍの操作に応じた信号を可視的に及び可聴的にモニターできることになる。第２モードの場合は、ラインＤＣＡ＿Ｌ及びスイッチＡＳＳＷ１〜ＡＳＳＷｍを介してＤＣＡバスＤＣＡ−１，２，．．．ｍに入力されるフェーダアンプＦＤＡｃｈの出力信号は、ＤＣＡフェーダの操作に応じてレベル調整されたものとなっておらず、それ以前の各チャンネル独自の信号レベル調整状態を保持している。従って、この場合は、第２モードでＤＣＡフェーダを操作する直前の各チャンネル独自の信号レベル調整状態をメーターＭＴＲｄ１〜ＭＴＲｄｍで可視的にモニターすることができ、また、Ｃｕｅバスを介してヘッドフォン等により聴感的にモニターすることができる。
【００３９】
これによって、第２モードにおいて、セレクタＳＥＬ３の選択を切り換えることにより、ＤＣＡフェーダの操作に応じてレベル調整された信号状態（ＤＣＡアンプの出力）と、それ以前に各チャンネル毎のフェーダで独自に調整された信号レベル調整状態（ＤＣＡバスの出力）とを比較してモニターすることができる。
【００４０】
また、第２モードにおいて、ミキシングバスセレクタＭＩＸＳＥＬでは、ポストフェーダ信号ＰＯＳＴ＿Ｆを選択して、ＤＣＡフェーダの操作の影響を受けたオーディオ信号をミキシングバスを介して発音する一方で、セレクタＳＥＬ３ではＤＣＡアンプＤＣＡ１〜ＤＣＡｍを経由しないＤＣＡバスの出力を選択して、ＤＣＡフェーダの操作の影響を受けていない、それ以前の、各チャンネル毎のフェーダで独自に調整された信号レベル調整状態をモニターする、といった使い方も可能である。そうすると、ＤＣＡフェーダの操作前と後の信号レベル調整状態を容易に比較できるので、ＤＣＡフェーダの操作具合が適切かどうかの判断を素早く行い易い。なお、この場合は、ＤＣＡフェーダの操作後の信号レベル調整状態からなるオーディオ信号をミキシングバスを介して発音すると同時に、ＤＣＡフェーダの操作前の信号レベル調整状態がＤＣＡバスでモニタできるものであるが、後述する変更例では、その逆の形態とすることもできる。
【００４１】
図４は、ＤＳＰ２０によって実現されるミキシング処理部の別の構成例を機能的に示す略図である。図４において、図３と同一の構成要素は同一符号にて示し、説明を省略する。図４の例においては、各ＤＣＡフェーダ（第２の操作子）ＤＣＡＦ１〜ＤＣＡＦｍに対応して設けたＤＣＡバス（サブミキシングバス）ＤＣＡ−１Ｒ，１Ｌ，．．．ｍＲ，ｍＬは、それぞれ左右一対のステレオバスからなっていて、ステレオバスＳＴに送られるオーディオ信号の各ＤＣＡフェーダ（第２の操作子）ＤＣＡＦ１〜ＤＣＡＦｍで制御された信号調整状態をステレオでモニターできるようにしている。
【００４２】
例えば、図示された一対のＤＣＡバスＤＣＡ−１Ｒ，１Ｌは、ＤＣＡフェーダＤＣＡＦ１に対応する左右一対のステレオバスである。また、一対のＤＣＡバスＤＣＡ−ｍＲ，ｍＬは、ＤＣＡフェーダＤＣＡＦｍに対応する左右一対のステレオバスである。
【００４３】
各ＤＣＡフェーダＤＣＡＦ１〜ＤＣＡＦｍに対応して設けられたＤＣＡ割り当てスイッチＡＳＳＷ１〜ＡＳＳＷｍには、図３と同様にフェーダアンプＦＤＡｃｈの出力信号がラインＤＣＡ＿Ｌを介して入力される。各ＤＣＡ割り当てスイッチＡＳＳＷ１〜ＡＳＳＷｍの出力信号はそれぞれに対応するステレオパン制御用のバランスボリュームＰＡＮ＿Ｄ１〜ＰＡＮ＿Ｄｍを経由してそれぞれに対応するＤＣＡバスＤＣＡ−１Ｒ，１Ｌ，．．．ｍＲ，ｍＬに送られる。例えば、ＤＣＡフェーダＤＣＡＦ１に対応するスイッチＡＳＳＷ１の出力は、それに対応するバランスボリュームＰＡＮ＿Ｄ１を介してステレオパンの右チャンネルと左チャンネルに分離され、右チャンネルの信号はフェーダＤＣＡＦ１のための右チャンネル用ＤＣＡバスＤＣＡ−１Ｒに送られ、左チャンネルの信号はフェーダＤＣＡＦ１のための左チャンネル用ＤＣＡバスＤＣＡ−１Ｌに送られる。同様に、ＤＣＡフェーダＤＣＡＦｍに対応するスイッチＡＳＳＷｍの出力は、それに対応するバランスボリュームＰＡＮ＿Ｄｍを介してフェーダＤＣＡＦｍのための右チャンネル用ＤＣＡバスＤＣＡ−ｍＲと左チャンネル用ＤＣＡバスＤＣＡ−ｍＬに送られる。
【００４４】
各ＤＣＡフェーダＤＣＡＦ１〜ＤＣＡＦｍに対応して設けられたステレオパン制御用のバランスボリュームＰＡＮ＿Ｄ１〜ＰＡＮ＿Ｄｍは、ステレオパン制御用のバランスボリュームＰＡＮ＿Ｖの操作に連動して調整される。これにより、ＤＣＡバスＤＣＡ−１Ｒ，１Ｌ，．．．ｍＲ，ｍＬに送られる信号のステレオパン制御状態が、ステレオバスＳＴに送られる当該チャンネルのＣＨ１オーディオ信号のステレオパン制御状態と同じ状態に設定される。
【００４５】
各ＤＣＡバスＤＣＡ−１Ｒ，１Ｌ，．．．ｍＲ，ｍＬでは、各入力チャンネルＣＨ１〜ＣＨｎから送られてきたオーディオ信号をそれぞれ混合する。各ＤＣＡバスＤＣＡ−１Ｒ，１Ｌ，．．．ｍＲ，ｍＬの出力側には、ＤＣＡアンプ（又は減衰器）ＤＣＡ１Ｒ，ＤＣＡ１Ｌ，．．．ＤＣＡｍＲ，ＤＣＡｍＬがそれぞれ設けられている。各ＤＣＡアンプＤＣＡ１Ｒ，ＤＣＡ１Ｌ，．．．ＤＣＡｍＲ，ＤＣＡｍＬは、図３のＤＣＡアンプＤＣＡ１〜ＤＣＡｍと同様に、それぞれに対応するＤＣＡフェーダＤＣＡＦ１〜ＤＣＡＦｍによる信号レベル調整量の制御状態をシミュレートするものであるが、制御対象信号が左右ステレオ信号に分離されているため、左右ステレオ信号に対応して個別のＤＣＡアンプが対を成して設けられている。対を成すＤＣＡアンプは連動して同じゲインとなるようにゲイン設定される。例えば、フェーダＤＣＡＦ１に対応する１対のＤＣＡアンプＤＣＡ１Ｒ，ＤＣＡ１Ｌは連動して同じゲインとなるようにゲイン設定され、そのゲイン設定値は、図３のＤＣＡアンプＤＣＡ１と同じように設定される。また、フェーダＤＣＡＦｍに対応する１対のＤＣＡアンプＤＣＡｍＲ，ＤＣＡｍＬは連動して同じゲインとなるようにゲイン設定され、そのゲイン設定値は、図３のＤＣＡアンプＤＣＡｍと同じように設定される。すなわち、図３の場合と同様に、図４の各ＤＣＡアンプＤＣＡ１Ｒ，ＤＣＡ１Ｌ，．．．ＤＣＡｍＲ，ＤＣＡｍＬにおいても、第１モードと第２モードのいずれかに応じて異なるゲイン設定がなされる。
【００４６】
各ＤＣＡバスＤＣＡ−１Ｒ，１Ｌ，．．．ｍＲ，ｍＬに対応してそれぞれ設けられたセレクタＳＥＬ３１〜ＳＥＬ３ｍは、図３のセレクタＳＥＬ３と同様に、ＤＣＡアンプＤＣＡ１Ｒ，ＤＣＡ１Ｌ，．．．ＤＣＡｍＲ，ＤＣＡｍＬの出力信号とＤＣＡバスＤＣＡ−１Ｒ，１Ｌ，．．．ｍＲ，ｍＬの出力信号（ＤＣＡ１Ｒ，ＤＣＡ１Ｌ，．．．ＤＣＡｍＲ，ＤＣＡｍＬを経由していない出力信号）の一方を、操作者の操作に応じて各ＤＣＡバス対毎に独立に選択するためのものである。例えば、フェーダＤＣＡＦ１に対応する１対のＤＣＡバスＤＣＡ−１Ｒ，１Ｌに対応するセレクタＳＥＬ３１は連動して切り換えられ、ＤＣＡアンプＤＣＡ１Ｒ，ＤＣＡ１Ｌを経由した左右ステレオ信号と、経由していない左右ステレオ信号、のいずれか一方の対を選択する。また、フェーダＤＣＡＦｍに対応する１対のＤＣＡバスＤＣＡ−ｍＲ，ｍＬに対応するセレクタＳＥＬ３ｍは連動して切り換えられ、ＤＣＡアンプＤＣＡｍＲ，ＤＣＡｍＬを経由した左右ステレオ信号と、経由していない左右ステレオ信号、のいずれか一方の対を選択する。
【００４７】
各セレクタＳＥＬ３１〜ＳＥＬ３ｍの出力は、メーターＭＴＲｄ１Ｒ，ＭＴＲｄ１Ｌ，．．．ＭＴＲｄｍＲ，ＭＴＲｄｍＬにそれぞれ入力される。これにより、各ＤＣＡバス（サブミキシングバス）ＤＣＡ−１Ｒ，１Ｌ，．．．ｍＲ，ｍＬで混合された左右ステレオのオーディオ信号のレベルをそれぞれ個別にメーター表示（可視的にモニター）できる。また、各セレクタＳＥＬ３１〜ＳＥＬ３ｍの出力信号は、ＣｕｅバスＣＵＥの左右バスにステレオ信号として入力されるようになっており（左ステレオのオーディオ信号はＣｕｅバスＣＵＥの左バスに、右ステレオのオーディオ信号はＣｕｅバスＣＵＥの右バスに、入力される）、これにより、ＣｕｅバスＣＵＥの出力を介してヘッドフォン等により各ＤＣＡバス（サブミキシングバス）ＤＣＡ−１Ｒ，１Ｌ，．．．ｍＲ，ｍＬから出力されるステレオオーディオ信号をステレオのままで聴感的にモニターすることができる。
【００４８】
次に、上記各実施例に対する種々の変更例について説明する。
（１）  図３及び図４において、ミキシングバスセレクタＭＩＸＳＥＬでフェーダアンプＦＤＡｃｈの出力信号（ラインＤＣＡ＿Ｌの信号）を選択できるようにしてもよい。例えば、各ミキシングバスセレクタＭＩＸＳＥＬを３位置切り換えタイプに変更し、上記プリフェーダ信号ＰＲＥ＿Ｆとポストフェーダ信号ＰＯＳＴ＿Ｆの他に、フェーダアンプＦＤＡｃｈの出力信号（ラインＤＣＡ＿Ｌの信号）を選択できるようにする。あるいは、各ミキシングバスセレクタＭＩＸＳＥＬが２位置切り換えタイプであれば、上記とポストフェーダ信号ＰＯＳＴ＿Ｆと、フェーダアンプＦＤＡｃｈの出力信号（ラインＤＣＡ＿Ｌの信号）のいずれかを選択できるように変更する。
【００４９】
そうすると、前記第２モードにおいて、このミキシングバスセレクタＭＩＸＳＥＬでフェーダアンプＦＤＡｃｈの出力信号（ラインＤＣＡ＿Ｌの信号）を選択して、ＤＣＡフェーダの操作の影響を受けていない、それ以前の、当該チャンネルのフェーダで独自に調整された信号調整状態を保ったオーディオ信号をミキシングバスを介して発音する一方で、セレクタＳＥＬ３（図３）又はＳＥＬ３１〜ＳＥＬ３ｍ（図４）ではＤＣＡアンプＤＣＡ１〜ＤＣＡｍ（図３）又はＤＣＡ１Ｒ，ＤＣＡ１Ｌ，．．．ＤＣＡｍＲ，ＤＣＡｍＬ（図４）の出力を選択して、ＤＣＡフェーダの操作の影響を受けた信号レベル調整状態をモニターする、といった使い方が可能となる。この使い方の場合も、前述と同様に、ＤＣＡフェーダの操作前と後の信号レベル調整状態を容易に比較できるので、ＤＣＡフェーダの操作具合が適切かどうかの判断を素早く行い易い。なお、この場合は、前述の例とは逆に、ＤＣＡフェーダの操作前の信号レベル調整状態からなるオーディオ信号をミキシングバスを介して発音すると同時に、ＤＣＡフェーダの操作後の信号レベル調整状態がＤＣＡバスでモニタできる。
【００５０】
（２）  図３，図４の例では、ＤＣＡバスの出力信号を可聴的にモニタするために、ＣｕｅバスＣＵＥ及びそのオーディオ出力部を利用しているが、これに限らず、ＤＣＡバスの専用のオーディオ出力部（可聴的出力モニタ手段）を設けてもよい。
【００５１】
（３）  図３，図４において、セレクタＳＥＬ３、ＳＥＬ３１〜ＳＥＬ３ｍを省略し、ＤＣＡアンプＤＣＡ１〜ＤＣＡｍ、ＤＣＡ１Ｒ，ＤＣＡ１Ｌ，．．．ＤＣＡｍＲ，ＤＣＡｍＬの出力のみをＤＣＡバスを介してモニタするようにしてもよい。
【００５２】
（４）  図３，図４において、ＤＣＡバスに設けたＤＣＡアンプＤＣＡ１〜ＤＣＡｍ、ＤＣＡ１Ｒ，ＤＣＡ１Ｌ，．．．ＤＣＡｍＲ，ＤＣＡｍＬを省略し、入力チャンネルのＤＣＡアンプＤＣＡｃｈの出力信号をＤＣＡ割り当てスイッチＡＳＳＷ１〜ＡＳＳＷｍを介して各ＤＣＡバスに送るようにしてもよい。その場合、セレクタＳＥＬ３、ＳＥＬ３１〜ＳＥＬ３ｍは省略してもよいし、省略せずに各ＤＣＡバスの入力側に設けるようにしてもよい。
【００５３】
（５）  図３，図４の例では、ＤＣＡフェーダ（第２の操作子）ＤＣＡＦ１〜ＤＣＡＦｍに対して入力チャンネルＣＨ１〜ＣＨｎ側の信号調整用フェーダ（第１の操作子）ＣｈＦ１〜ＣｈＦｎを割り当てる例を示したが、これに限らず、ＤＣＡフェーダ（第２の操作子）ＤＣＡＦ１〜ＤＣＡＦｍに対して出力チャンネル（出力チャンネル部ＯＵＴの各チャンネル）側の信号調整用フェーダ（第１の操作子）ＭＩＸ−Ｆ，ＳＴ−Ｆ，ＣＵＥ−Ｆを割り当てる場合においても本発明を適用することができる。その場合、各ＤＣＡバスの入力側に設けられたＤＣＡ割り当てスイッチＡＳＳＷ１〜ＡＳＳＷｍに対して、当該ＤＣＡフェーダが割り当てられている出力チャンネルの信号（該当するフェーダＭＩＸ−Ｆ，ＳＴ−Ｆ，ＣＵＥ−Ｆの出力）を入力するようにＤＳＰ２０における論理的配線を設定すればよい。その場合においても、前述した第１モードと第２モードの使い分けができるように、各フェーダＭＩＸ−Ｆ，ＳＴ−Ｆ，ＣＵＥ−Ｆの実体的構成を図３，図４に示されたフェーダアンプＦＤＡｃｈとＤＣＡアンプＤＣＡｃｈの組み合わせからなるもので構成するようにしてよい。
【００５４】
（６）  ＤＣＡフェーダを前述の第１モードと第２モードのいずれかで選択的に動作させることは発明の必須事項ではなく、いずれか一方のモードでのみ動作させるようにしてもよいし、その他のモードで動作させるようにしてもよい。
【００５５】
（７）  図３，図４の例では、ＤＣＡバス（サブミキシングバス）をＤＳＰ２０において構成しているが、ＣＰＵ１１においてソフトウェアプログラムによって構築するようにしてもよい。あるいは、ＤＣＡバス（サブミキシングバス）及びそれに関連する部分を専用の電子回路ハードウェアで構成してもよい。
【００５６】
（８）  図３，図４に示すミキシング処理部は、その一部又は全部をＣＰＵ１１においてソフトウェアプログラムによって構築するようにしてもよい。あるいは、ＤＣＡバス（サブミキシングバス）を含む図３，図４に示すミキシング処理部は、その一部又は全部を専用の電子回路ハードウェアで構成してもよい。
【００５７】
（９）  信号調整用のフェーダとして機能する操作子の形式は、摘みを直線的に動かすスライダタイプに限らず、回転式ノブあるいはダイヤルタイプであってもよいし、その他のタイプであってもよい。
（１０）  本発明は、オーディオミキサに限らず、ビデオミキサにおいても応用可能である。その場合、モニタする対象となる信号調整状態若しくは信号状態は、信号レベルに限らず、当該ＤＣＡフェーダで調整しようとする信号要素に依存する。
【図面の簡単な説明】
【００５８】
【図１】本発明の一実施例に係るデジタルミキサのハードウェア構成を示すブロック図。
【図２】図１の実施例において設けられている本発明に関連する信号レベル調整用のフェーダ式操作子の配置例を示す図。
【図３】図１のＤＳＰによって実現されるミキシング処理部の構成を機能的に示す略図。
【図４】図１のＤＳＰによって実現されるミキシング処理部の別の構成例を機能的に示す略図。
【符号の説明】
【００５９】
１０  デジタルミキサ
１１  ＣＰＵ
１２  ＲＡＭ
１３  ＲＯＭ
１４  操作子
２０  ＤＳＰ
ＣｈＦ１〜ＣｈＦｎ  チャンネルフェーダ（第１の操作子）
ＤＣＡＦ１〜ＤＣＡＦｍ  ＤＣＡフェーダ（第２の操作子）
ＭＩＸ−１，２，．．．Ｎ  ミキシングバス
ＤＣＡ−１，２，．．．ｍ  ＤＣＡバス（サブミキシングバス）
【図１】
0005067232.tif 000002
【図２】
0005067232.tif 000003
【図３】
0005067232.tif 000004
【図４】
0005067232.tif 000005